(57)【要約】【課題】下枠と縦枠の連結部分における意匠性を向上させることができると共に、輸送効率もよいサッシを提供する。【解決手段】上下枠及び左右の縦枠を方形状に枠組みした枠体１内に障子２、３を納めると共に、縦枠３０を左右の溝形材８間に取付けてなり、下枠２０と左右の縦枠３０、及び上枠１０と左右の縦枠３０はそれぞれダボ５０を介して連結され、下枠２０には両端部にダボ５０の一方側を挿入固定する取付部２２が形成されると共に、取付部２２は上端面が下枠２０の他の部分の上端面と略面一状に形成され、縦枠３０は下枠２０の取付部２２に挿入固定されたダボ５０の他方側を下端面から挿入可能に形成されると共に、下端面が下枠２０の取付部２２の上端面に当接し連結される。【選択図】図３
2008069581.tif 000002
【特許請求の範囲】
【請求項１】
上下枠及び左右の縦枠を方形状に枠組みした枠体内に障子を納めると共に、前記縦枠を左右の溝形材間に取付けてなるサッシにおいて、
前記下枠と左右の縦枠、及び前記上枠と左右の縦枠はそれぞれダボを介して連結され、前記下枠には両端部に前記ダボの一方側を挿入固定する取付部が形成されると共に、該取付部は上端面が前記下枠の他の部分の上端面と略面一状に形成され、前記縦枠は前記下枠の取付部に挿入固定されたダボの他方側を下端面から挿入可能に形成されると共に、前記下端面が前記下枠の取付部の上端面に当接し連結されることを特徴とするサッシ。
【請求項２】
前記ダボの一方側は前記下枠の取付部の内周面に略適合するように形成されると共に、前記取付部の外面からネジ止め固定されることを特徴とする請求項１記載のサッシ。
【請求項３】
前記下枠の取付部に挿入固定されたダボの根元部にはその外周面に略適合する形状に形成された止水材が設けられ、前記縦枠の下端面は前記下枠の取付部の上面に対し前記止水材を介して当接することを特徴とする請求項１または２記載のサッシ。
【請求項４】
前記左右の縦枠のいずれかには外周面に縦方向の溝部が形成されている、または前記左右の縦枠には外周面にそれぞれ異なるピッチで縦方向の溝部が形成されていることを特徴とする請求項１〜３のいずれか１項に記載のサッシ。
【発明の詳細な説明】
【技術分野】
【０００１】
本発明は、建物の開口部に設けられる左右一対の溝形材間に取付けられるサッシに関し、特に枠体をダボを介して強固に枠組みできるサッシに関する。
【背景技術】
【０００２】
従来、工事現場等で用いられる組立ハウスとしては、左右両側にパネル材を飲み込ませることのできる凹部を有した溝形材が支柱として縦方向に設けられ、隣り合う溝形材間にパネル材を納めて壁面とするものが知られている。また、壁面内には適宜パネル体が配置されない開口部が設けられ、この開口部にサッシが取付けられる。この場合、サッシの縦枠を左右の溝形材間に上から落とし込むことで取付けがなされる。サッシを溝形材間に取付けたら、サッシの上枠の上方にさらにパネル材を取付ける。このようなサッシは、例えば特許文献１に開示されている。
【特許文献１】特開２００３−１４８０５３号公報
【発明の開示】
【発明が解決しようとする課題】
【０００３】
このようなサッシは、上下枠及び左右の縦枠を方形状に枠組みした枠体内に障子を納めてなるものであり、枠体は上下枠または縦枠の一方にダボを取付け、この取付けられたダボを他方の枠に挿入することで、上下枠と縦枠を連結し枠組みするようにしている。このために、上下枠の両端部にはそれぞれ縦枠側に向かって開口し、ダボを挿入可能な中空部が形成され、中空状に形成された縦枠の端部と上下枠の中空部とにそれぞれダボが挿入される。
【０００４】
しかし特に下枠の上下方向寸法が小さい場合、下枠の中空部に対するダボの飲み込み寸法が小さくなるため、充分な固定強度を確保することが難しくなる。このために、下枠の中空部を上方に向かって突出させ、ダボの飲み込み寸法が大きくなるように形成している。しかし、このように形成すると、下枠と縦枠との継ぎ目が中空部以外の下枠上面よりも上方となるために、意匠性を損ねるという問題点があった。また、中空部を突出させるように形成することで、下枠の両端部がそれぞれＬ字状となるために、上下枠及び縦枠を輸送する際に、下枠のために多くのスペースが必要となり、輸送効率を低下させることともなっていた。
【０００５】
本発明は、上記課題を解決すべくなされたものであり、下枠と縦枠の連結部分における意匠性を向上させることができると共に、輸送効率もよいサッシを提供することを目的とする。
【課題を解決するための手段】
【０００６】
上記課題を解決するため、本発明に係るサッシは、上下枠及び左右の縦枠を方形状に枠組みした枠体内に障子を納めると共に、前記縦枠を左右の溝形材間に取付けてなるサッシにおいて、
前記下枠と左右の縦枠、及び前記上枠と左右の縦枠はそれぞれダボを介して連結され、前記下枠には両端部に前記ダボの一方側を挿入固定する取付部が形成されると共に、該取付部は上端面が前記下枠の他の部分の上端面と略面一状に形成され、前記縦枠は前記下枠の取付部に挿入固定されたダボの他方側を下端面から挿入可能に形成されると共に、前記下端面が前記下枠の取付部の上端面に当接し連結されることを特徴として構成されている。
【０００７】
また、本発明に係るサッシは、前記ダボの一方側は前記下枠の取付部の内周面に略適合するように形成されると共に、前記取付部の外面からネジ止め固定されることを特徴として構成されている。
【０００８】
さらに、本発明に係るサッシは、前記下枠の取付部に挿入固定されたダボの根元部にはその外周面に略適合する形状に形成された止水材が設けられ、前記縦枠の下端面は前記下枠の取付部の上面に対し前記止水材を介して当接することを特徴として構成されている。
【０００９】
さらにまた、本発明に係るサッシは、前記左右の縦枠のいずれかには外周面に縦方向の溝部が形成されている、または前記左右の縦枠には外周面にそれぞれ異なるピッチで縦方向の溝部が形成されていることを特徴として構成されている。
【発明の効果】
【００１０】
本発明に係るサッシによれば、下枠と左右の縦枠、及び上枠と左右の縦枠はそれぞれダボを介して連結され、下枠には両端部にダボの一方側を挿入固定する取付部が形成されると共に、取付部は上端面が下枠の他の部分の上端面と略面一状に形成され、縦枠は下枠の取付部に挿入固定されたダボの他方側を下端面から挿入可能に形成されると共に、下端面が下枠の取付部の上端面に当接し連結されることにより、下枠と縦枠の連結強度を充分に確保しつつ、継ぎ目を目立たない位置とすることができるので、意匠性を向上させることができる。また、下枠に突出する取付部がないので枠材の輸送も効率よく行うことができる。
【００１１】
また、本発明に係るサッシによれば、ダボの一方側は下枠の取付部の内周面に略適合するように形成されると共に、取付部の外面からネジ止め固定されることにより、ダボの飲み込み寸法が小さくても下枠と強固に固定しておくことができるので、縦枠との連結をより強固にすることができる。
【００１２】
さらに、本発明に係るサッシによれば、下枠の取付部に挿入固定されたダボの根元部にはその外周面に略適合する形状に形成された止水材が設けられ、縦枠の下端面は下枠の取付部の上面に対し止水材を介して当接することにより、下枠と縦枠の連結部分における水密性を充分に確保することができる。
【００１３】
さらにまた、本発明に係るサッシによれば、左右の縦枠のいずれかには外周面に縦方向の溝部が形成されている、または左右の縦枠には外周面にそれぞれ異なるピッチで縦方向の溝部が形成されていることにより、左右の縦枠を容易に識別することができる。
【発明を実施するための最良の形態】
【００１４】
本発明の実施形態について、図面に沿って詳細に説明する。図１には本実施形態におけるサッシの縦断面図を、図２にはサッシの横断面図を、それぞれ示している。これら各図に示すように、本実施形態におけるサッシは、組立ハウスの開口部Ａに取付けられる枠体１内に内障子２と外障子３とを引き違い状に納め、さらに室外側には網戸６を納めてなるものである。ここで、本実施形態における開口部Ａは、上下辺及び左右辺がいずれもパネル材７によって構成されており、これに取付けられる本実施形態のサッシは、窓タイプのものである。
【００１５】
枠体１は、上枠１０と下枠２０及び左右の縦枠３０、３０を方形状に枠組みしてなり、後述するようにこれらはダボ５０を介してそれぞれ連結させる。図１に示すように上枠１０と下枠２０はそれぞれ外周面が開口部Ａを構成する上下のパネル材７に直接、接している。一方、図２に示すように左右の縦枠３０は、組立ハウスの支柱となる溝形材８を介してパネル材７と対向している。
【００１６】
溝形材８は、室内外方向に延びる基部８ａを中心に、パネル材７側には基部８ａを底面とした溝状に形成されるパネル材保持部８ｂが、枠体１側には基部８ａを底面とした溝状に形成される縦枠保持部８ｃが、それぞれ形成されている。パネル材保持部８ｂの開口幅と縦枠保持部８ｃの開口幅は、それぞれパネル材７の厚みと縦枠３０の外周面に形成される突出部３１の室内外方向幅とに略適合するように形成されている。
【００１７】
枠体１を開口部Ａに取付ける際には、左右の溝形材８を立設し、下側のパネル材を予め配置すると共に、上側については開放状としておく。ここで縦枠３０の突出部３１を溝形材８の縦枠保持部８ｃに保持させた上で、上方から下枠２０が下側のパネル材７に当接するまで落とし込み、その後に上側のパネル材７を取付けることにより、枠体１が開口部Ａに取付けられる。
【００１８】
上枠１０の上面には、パネル材７の室外部と接する部分に水密材１１が設けられており、これがパネル材７の下面に圧接することにより、上枠１０における水密性を確保している。これに加えて、上枠１０の上面にはパネル材７の室内面に当接するように突出したフィン部１２が形成されており、これによっても室内側に雨水等が浸入しないようにしている。
【００１９】
下枠２０の下部は、下方に設けられるパネル材７の上端部を飲み込むことができるように溝状に形成されており、これによって外部から雨水等が浸入しないようにしている。また、縦枠３０には、突出部３１より室内側と室外側にそれぞれ水密材３２が設けられており、これらは溝形材８の対向する面に当接するようにされており、これによって外部から雨水等が浸入しないようにしている。
【００２０】
内障子２と外障子３は、それぞれ上框４０と下框４１及び左右の縦框４２、４２を方形状に框組みしてなる框体４内にガラス体５を納めてなるものである。下框４１の下部には戸車４１ａが設けられており、これが下枠２０の上面に形成されるレール２１に載置されて内障子２及び外障子３を長手方向に走行自在としている。
【００２１】
次に、枠体１の連結構造について説明する。図３には、枠体１の分解斜視図を示している。この図に示すように、上枠１０と縦枠３０は、上枠１０に挿入固定されるダボ５０を介して連結され、下枠２０と縦枠３０は、下枠２０に挿入固定されるダボ５０を介して連結される。ダボ５０は、いずれも合成樹脂製の部材からなり、上枠１０と縦枠３０にまたがって各中空部分に挿入されることにより、上枠１０と縦枠３０とを連結し、また下枠２０と縦枠３０にまたがって各中空部分に挿入されることにより、下枠２０と縦枠３０とを連結するものである。
【００２２】
上枠１０には両端面から外方に向かって突出する取付部１３、１３が形成されており、これら取付部１３に対してそれぞれダボ５０の一方側が挿入固定されている。取付部１３は内部を中空状に形成されると共に、その内周面がダボ５０の一方側の外周面に略適合するように形成されている。そして、取付部１３の外面から内側のダボ５０をネジ止めし固定している。
【００２３】
縦枠３０は突出部３１が中空状に形成されており、その内周面はダボ５０の他方側の外周面に略適合するように形成されている。取付部１３にダボ５０が挿入固定された上枠１０が縦枠３０の上部に配置され、ダボ５０の他方側が縦枠３０の突出部３１に上端面から挿入されることで、上枠１０と縦枠３０が連結される。
【００２４】
下枠２０にも両端面から外方に向かって突出する取付部２２、２２が形成されており、これら取付部２２に対してそれぞれダボ５０の一方側が挿入固定されている。取付部２２は内部を中空状に形成されると共に、その内周面がダボ５０の一方側の外周面に略適合するように形成されている。また、取付部２２の上端面は、下枠２０のそれ以外の部分における上端面２０ａと略面一状となるように形成されている。すなわち、取付部２２は下枠２０から上方に突出しないように形成されている。そして、取付部２２の外面から内側のダボ５０をネジ止めし固定している。取付部２２の内周面はダボ５０の外周面に略適合しているため、ネジ止めによって強固な固定をなすことができる。
【００２５】
図４には、ダボ５０の正面図を示している。この図に示すように、ダボ５０は下部が下枠２０の取付部２２に挿入される下枠挿入部５１として、上部が縦枠３０の突出部３１に挿入される縦枠挿入部５２として、それぞれ形成されている。また、下枠挿入部５１にはネジ孔５３が形成されており、取付部２２に挿入された下枠挿入部５１は、取付部２２の外面からネジ孔５３にネジが螺合され固定される。
【００２６】
縦枠３０の突出部３１は、前述のように内周面がダボ５０の他方側（縦枠挿入部５２）の外周面に略適合するように形成されており、下枠２０の取付部２２に挿入されたダボ５０に対し、縦枠３０の取付部２２を上方から挿入し、縦枠３０の下端面を下枠２０の取付部２２の上端面に当接させることにより、下枠２０と縦枠３０が連結される。
【００２７】
このようにして枠体１をダボ５０を介して連結し枠組みした状態の斜視図を図５に示している。この図に示すように、図３の状態からダボ５０を介して各枠材を連結することにより、枠体１は方形状に枠組みされる。縦枠３０の下端面は下枠２０の上端面に当接するように配置されており、また下枠２０の取付部２２の上端面は、下枠２０のそれ以外の部分の上端面と略面一状となるように形成されていることにより、下枠２０と縦枠３０の継ぎ目は下枠２０の上面位置にあって、あまり目立たないようにすることができる。また、下枠２０が取付部２２によって上方に突出しないように形成されているので、枠材の輸送時にスペース効率を良好にすることができる。
【００２８】
本実施形態では上枠１０についても、取付部１３の下端面が上枠１０のそれ以外の部分の下端面と略面一状となるように形成されており、上枠１０と縦枠３０の継ぎ目が上枠１０の下面位置にあって、あまり目立たないようにしている。
【００２９】
次に、枠体１の連結部分における水密性の確保について説明する。図６には、下枠２０の一端部付近の拡大斜視図を示している。この図に示すように、下枠２０の取付部２２に一方側が挿入固定されたダボ５０の、露出する他方側の根元部分には、止水材５５が取付けられる。また図７には止水材５５の斜視図を示している。止水材５５は平板状のゴムからなり、枠形状に形成された枠形状部５６と、枠形状部５６の両端から延出された延出部５７とを有している。止水材５５をダボ５０に取付けると、枠形状部５６はダボ５０の外周面に沿って取付けられて取付部２２の上面を覆い、延出部５７は取付部２２周辺の下枠２０上面を覆う。図７に示す止水材５５は、枠形状部５６をダボ５０に取付けるために、これを若干拡げた状態を示している。そして止水材５５は、図６に示すように下枠２０の上面及び取付部２２の上面と縦枠３０の下端面とに挟持されることで、下枠２０と縦枠３０との連結部分を止水する。これに伴い、下枠２０の上面及び取付部２２の上面と縦枠３０の下端面は、止水材５５を介して当接することになる。なお、上枠１０と縦枠３０の連結部分にも、同様に止水材５５が設けられる。
【００３０】
左右の縦枠３０の識別について、本実施形態では以下のように構成されている。図８には、左右の縦枠３０の斜視図を示しており、図８（ａ）が室内側から見て左側の縦枠３０、図８（ｂ）が室内側から見て右側の縦枠３０を示している。図８（ａ）、図８（ｂ）共に縦枠３０の外周面側から見た斜視図としている。図８（ａ）に示すように、左側の縦枠３０には、所定ピッチで複数の溝部３３が縦方向に形成されている。
【００３１】
溝部３３は、縦枠３０の肉厚に比べて浅く形成されており、縦枠３０の強度には影響を与えないようにしている。一方で、溝部３３は容易に視認することができる。一方、図８（ｂ）に示すように、右側の縦枠３０には溝部３３は設けていない。これによって、枠組みを行う際において、左側の縦枠３０と右側の縦枠３０とを容易に識別することができる。なお、左右の縦枠３０とも溝部３３を設け、左右それぞれで溝部３３のピッチを異ならせるようにすることによっても、同様に左右の縦枠３０を容易に識別することができる。
【００３２】
次に、本発明の第２の実施形態について説明する。図９には本実施形態におけるサッシの縦断面図を示している。本実施形態のサッシは、大まかな構成は第１の実施形態のものと同様である。一方で、本実施形態のサッシは、枠体１が取付けられる開口部Ａの上辺と左右辺はそれぞれパネル材７によって構成されている一方、下辺は組立ハウスの土台となるフレーム材９によって構成されている。すなわち、本実施形態のサッシは、出入口タイプのものであり、第１の実施形態とは下枠２０の構成が若干異なっている。
【００３３】
図９に示すように枠体１は、開口部Ａの下辺を構成するフレーム材９を、下枠２０の下部が飲み込むように構成されており、さらに下枠２０の室内側には床材６０が配設されている。下枠２０は、床材６０の上面より大きく突出しないように、上下方向幅が第１の実施形態に比べて小さくなるように形成されている。
【００３４】
図１０には、本実施形態におけるサッシの枠体１の分解斜視図を示している。この図に示すように、本実施形態の枠体１は、第１の実施形態と同様にダボ５０を介して上枠１０と縦枠３０、及び下枠２０と縦枠３０との連結をなしている。上枠１０と縦枠３０の連結部分の構成は、第１の実施形態と同一であるため、説明を省略する。
【００３５】
下枠２０には両端部に取付部２２が形成され、取付部２２は上端面が下枠２０の他の部分の上端面２０ａと略面一状となるように形成されると共に、取付部２２の中空部分にはダボ５０の一方側が挿入され、外面からネジ止めされて固定されている。前述のように下枠２０は上下方向幅が小さいため、取付部２２の上下方向深さも第１の実施形態のものより小さいが、ダボ５０は下枠２０側に取付けられ、かつネジ止めによって強固に固定されているため、縦枠３０との連結において充分な強度を確保することができる。
【００３６】
また、取付部２２が下枠２０から上方に突出しないように形成されていることで、枠体１を枠組みした際に、下枠２０と縦枠３０との継ぎ目が下枠２０の上面位置となるために、継ぎ目を目立たなくして枠体１の意匠性を向上させることができると共に、枠材の輸送効率も良好にすることができる。
【００３７】
また、図９に示すように、下枠２０の上面に設けられるレール２１は、レール部材２５に形成されて下枠２０に対しネジ止め固定されている。このレール部材２５の構成について、図１１には下枠２０の部分的な斜視図を示している。図１１（ａ）はレール部材２５の取付途中の状態の斜視図で、図１１（ｂ）はレール部材２５を取付けた状態の斜視図である。
【００３８】
図１１（ａ）に示すように、レール部材２５は内障子２を案内する内レール部材２５ａと、外障子３を案内する外レール部材２５ｂとの二部材からなっており、これらはいずれも金属板を折り曲げ形成してなるものである。内レール部材２５ａと外レール部材２５ｂは、いずれもレール２１を有すると共に、内レール部材２５ａは室外側に、外レール部材２５ｂは室内側に、それぞれ下枠２０上面に当接する板状の固定部２５ｃを有している。
【００３９】
下枠２０の上面において、内レール部材２５ａは室内側に、外レール部材２５ｂは室外側に配置される。また、内レール部材２５ａの固定部２５ｃと外レール部材２５ｂの固定部２５ｃは、長手方向に互い違いとなるように配置されており、内レール部材２５ａと外レール部材２５ｂを下枠２０の上面に配設すると、内外レールの中間部分を隙間なく埋めるように形成されている。
【００４０】
図１１（ｂ）に示すように、下枠２０の上面に配置された内レール部材２５ａと外レール部材２５ｂは、固定部２５ｃが下枠２０の上面に対しネジ止めされ固定される。内レール部材２５ａの固定部２５ｃと外レール部材２５ｂの固定部２５ｃは、互い違いに配置され、ネジ止め部分はいずれも固定部２５ｃの室内外中央位置であるため、各固定部２５ｃのネジ止め位置は、長手方向に一直線状となるように配置される。
【００４１】
このように下枠２０のレール部材２５を設けたことにより、内レール部材２５ａと外レール部材２５ｂは同形状で向かい合わせるように配置することで、内外のレール２１を形成することができるので、低コストにレール２１を構成することができる。また、ネジ止め位置を長手方向に一直線状となるように配置することができるので、意匠性も向上させることができる。
【００４２】
以上、本発明の実施形態について説明したが、本発明の適用はこれら実施形態には限られず、その技術的思想の範囲内において様々に適用されうるものである。本発明は、下枠２０側については、ダボ５０を取付部２２に挿入固定した上で、縦枠３０をダボ５０に挿入させて下枠２０と縦枠３０を連結することで、重量のかかる下枠２０と縦枠３０の連結部分における強度を充分に確保することとしているが、上枠１０側は本実施形態のものに限られず、縦枠３０の中空部にダボ５０を挿入固定した上で、上枠１０の取付部１３をダボ５０に挿入させて、上枠１０と縦枠３０を連結するようにしてもよい。
【図面の簡単な説明】
【００４３】
【図１】第１の実施形態におけるサッシの縦断面図である。
【図２】サッシの横断面図である。
【図３】枠体の分解斜視図である。
【図４】ダボの正面図である。
【図５】枠組みした枠体の斜視図である。
【図６】下枠２０の一端部付近の拡大斜視図である。
【図７】止水材の斜視図である。
【図８】左右の縦枠の斜視図である。
【図９】第２の実施形態におけるサッシの縦断面図である。
【図１０】枠体の分解斜視図である。
【図１１】下枠の部分的な斜視図である。
【符号の説明】
【００４４】
１    枠体
２    内障子
３    外障子
４    框体
５    ガラス体
６    網戸
７    パネル材
８    溝形材
１０    上枠
１１    水密材
１２    フィン部
１３    取付部
２０    下枠
２１    レール
２２    取付部
３０    縦枠
３１    突出部
３２    水密材
３３    溝部
５０    ダボ
５５    止水材
【図１】
2008069581.tif 000003
【図２】
2008069581.tif 000004
【図３】
2008069581.tif 000005
【図４】
2008069581.tif 000006
【図５】
2008069581.tif 000007
【図６】
2008069581.tif 000008
【図７】
2008069581.tif 000009
【図８】
2008069581.tif 000010
【図９】
2008069581.tif 000011
【図１０】
2008069581.tif 000012
【図１１】
2008069581.tif 000013